(57)【要約】【課題】静電気によって破戒されにくい発振回路を構成すると共に、発振トランジスタを構成する集積回路の端子数を減らす発振トランジスタの数を減らす。【解決手段】集積回路内１に構成された発振トランジスタ２、（３）と、集積回路１０の外部に設けられ、発振トランジスタ２、（３）に結合される共振回路４とを備え、集積回路１０には共振回路４が接続される端子１０ａを設け、端子１０ａには集積回路１０内に構成された結合コンデンサ６、（７）を介して発振トランジスタ２（３）を結合し、結合コンデンサ６、（７）を直列接続された複数のコンデンサ６ａ、６ｂ、（７ａ、７ｂ）から構成した。【選択図】        図１
2004172935.tif 000002
【特許請求の範囲】
【請求項１】
集積回路内に構成された発振トランジスタと、前記集積回路の外部に設けられ、前記発振トランジスタに結合される共振回路とを備え、前記集積回路には前記共振回路が接続される端子を設け、前記端子には前記集積回路内に構成された結合コンデンサを介して前記発振トランジスタを結合し、前記結合コンデンサを直列接続された複数のコンデンサから構成したことを特徴とするテレビジョンチューナの発振回路。
【請求項２】
前記発振トランジスタは差動接続された第一及び第二のトランジスタからなり、前記結合コンデンサは第一及び第二の結合コンデンサからなり、前記端子には、前記第一の結合コンデンサを介して前記第一の発振トランジスタのベースを結合すると共に前記第二の結合コンデンサを介して前記第二の発振トランジスタのコレクタを結合し、前記共振回路の一端を前記端子に接続すると共に他端を接地したことを特徴とする請求項１に記載のテレビジョンチューナの発振回路。
【請求項３】
前記発振トランジスタは差動接続された第一及び第二のトランジスタからなり、前記結合コンデンサは第一乃至第四の結合コンデンサからなり、前記端子は第一及び第二の端子からなり、前記第一の端子には、前記第一の結合コンデンサを介して前記第一の発振トランジスタのベースを結合すると共に前記第二の結合コンデンサを介して前記第二の発振トランジスタのコレクタを接続し、前記第二の端子には、前記第三の結合コンデンサを介して前記第二の発振トランジスタのベースを結合すると共に前記第四の結合コンデンサを介して前記第一の発振トランジスタのコレクタを結合し、前記共振回路の一端を前記第一の端子に接続すると共に、他端を第二の端子に接続したことを特徴とする請求項１に記載のテレビジョンチューナの発振回路。
【発明の詳細な説明】
【０００１】
【発明の属する技術分野】
この発明はテレビジョンチューナの発振回路に関する。
【０００２】
【従来の技術】
従来のテレビジョンチューナの発振回路を図２に示す。ＶＨＦテレビジョンチューナのローバンド用の第一の発振回路４１は集積回路４０内に構成された第一及び第二の発振トランジスタ４２、４３と、集積回路４０外に設けられた第一の共振回路４４とによって構成される。
【０００３】
第一の発振トランジスタ４２と第二の発振トランジスタ４３との各エミッタは互いに接続されて定電流源４５に接続される。第二の発振トランジスタ４３のベースは高周波的に接地される。集積回路４０には第一及び第二の端子４０ａ、４０ｂが設けられ、第一の端子４０ａには第一の発振トランジスタ４２のベースが接続され、第二の端子４０ｂには第二の発振トランジスタ４３のコレクタが接続される。第一の共振回路４４はインダクタンス素子４４ａ、バラクタダイオード４４ｂ等を有し、その一端が二つの結合コンデンサ４６、４７を介してそれぞれ第一の端子４０ａ、第二の端子４０ｂに結合される。第一の共振回路４４の他端は接地される。
【０００４】
ＶＨＦテレビジョンチューナのハイバンド用の第二の発振回路５１は集積回路４０内に構成された第三及び第四の発振トランジスタ５２、５３と、集積回路４０外に設けられた第二の共振回路５４とによって構成される。
【０００５】
第三の発振トランジスタ５２と第四の発振トランジスタ５３との各エミッタは互いに接続されて定電流源５５に接続される。第四の発振トランジスタ５３のベースは高周波的に接地される。集積回路４０には第三及び第四の端子４０ｃ、４０ｄが設けられ、第三の端子４０ｃには第三の発振トランジスタ５２のベースが接続され、第四の端子４０ｄには第四の発振トランジスタ５３のコレクタが接続される。第二の共振回路５４はインダクタンス素子５４ａ、バラクタダイオード５４ｂ等を有し、その一端が二つの結合コンデンサ５６、５７を介してそれぞれ第三の端子４０ｃ、第四の端子４０ｄに結合される。第二の共振回路５４の他端は接地される。
【０００６】
ＵＨＦテレビジョンチューナ用の第三の発振回路６１は集積回路４０内に構成された第五及び第六の発振トランジスタ６２、６３と、集積回路４０外に設けられた第三の共振回路６４とによって構成される。
【０００７】
第五の発振トランジスタ６２と第六の発振トランジスタ６３との各エミッタは互いに接続されて定電流源６５に接続される。集積回路４０には第五乃至第八の端子４０ｅ〜３０ｈが設けられる。第五の端子には第六の発振トランジスタ６３のコレクタが接続され、第六の端子４０ｆには第五の発振トランジスタ６２のベースが接続され、第七の端子４０ｇには第六の発振トランジスタ６３のベースが接続され、第八の端子４０ｈには第五の発振トランジスタ６２のコレクタが接続される。
【０００８】
第三の共振回路６４はインダクタンス素子６４ａ、バラクタダイオード６４ｂ等を有し、その一端が二つの結合コンデンサ６６、６７を介してそれぞれ第五の端子４０ｅ、第六の端子４０ｆに結合され、第三の共振回路６４の他端は二つの結合コンデンサ６８、６９を介してそれぞれ第七の端子４０ｇ、第八の端子４０ｈに接地される。
【０００９】
よって、第一の発振回路４１と第二の発振回路５１とは不平衡型の発振回路を構成し、第三の発振回路６１は平衡型の発振回路を構成する。そして、各バラクタダイオード４４ｂ、５４ｂ、６４ｂに印加される同調電圧Ｔｕによって発振周波数が設定される（例えば、特許文献１参照。）。
【００１０】
【特許文献１】
特開２００１−２５７９５４号公報（図１）
【００１１】
【発明が解決しようとする課題】
上記の構成では、集積回路内に構成された発振トランジスタのコレクタ及びベースは集積回路の端子に接続され、この端子に共振回路を接続するようになっている。そのため、集積回路自体を取り扱う場合に、人体に帯電した静電気が端子を介して発振トランジスタのベースやコレクタに直接印加されて発振トランジスタが破壊されるという問題がある。また、共振回路を外部に設けた結合コンデンサを介してベースやコレクタに結合するために、集積回路に設ける端子の数が多くなり、集積回路の小型化に対して不利な構成となっている。
【００１２】
本発明は、静電気によって破戒されにくい発振回路を構成すると共に、発振トランジスタを構成する集積回路の端子数を減らすことを目的とする。
【００１３】
【課題を解決するための手段】
本発明では、集積回路内に構成された発振トランジスタと、前記集積回路の外部に設けられ、前記発振トランジスタに結合される共振回路とを備え、前記集積回路には前記共振回路が接続される端子を設け、前記端子には前記集積回路内に構成された結合コンデンサを介して前記発振トランジスタを結合し、前記結合コンデンサを直列接続された複数のコンデンサから構成した。
【００１４】
また、前記発振トランジスタは差動接続された第一及び第二のトランジスタからなり、前記結合コンデンサは第一及び第二の結合コンデンサからなり、前記端子には、前記第一の結合コンデンサを介して前記第一の発振トランジスタのベースを結合すると共に前記第二の結合コンデンサを介して前記第二の発振トランジスタのコレクタを結合し、前記共振回路の一端を前記端子に接続すると共に他端を接地した。
【００１５】
また、前記発振トランジスタは差動接続された第一及び第二のトランジスタからなり、前記結合コンデンサは第一乃至第四の結合コンデンサからなり、前記端子は第一及び第二の端子からなり、前記第一の端子には、前記第一の結合コンデンサを介して前記第一の発振トランジスタのベースを結合すると共に前記第二の結合コンデンサを介して前記第二の発振トランジスタのコレクタを接続し、前記第二の端子には、前記第三の結合コンデンサを介して前記第二の発振トランジスタのベースを結合すると共に前記第四の結合コンデンサを介して前記第一の発振トランジスタのコレクタを結合し、前記共振回路の一端を前記第一の端子に接続すると共に、他端を第二の端子に接続した。
【００１６】
【発明の実施の形態】
本発明のテレビジョンチューナの発振回路を図１に示す。ＶＨＦテレビジョンチューナのローバンド用の第一の発振回路１は集積回路１０内に構成された第一及び第二の発振トランジスタ２、３と、集積回路１０外に設けられた第一の共振回路４とによって構成される。
【００１７】
第一の発振トランジスタ２と第二の発振トランジスタ３との各エミッタは互いに接続されて定電流源５に接続される。よって、第一及び第二の発振トランジスタ２、３は差動接続される。第二の発振トランジスタ３のベースは高周波的に接地される。集積回路１０には端子１０ａが設けられ、端子１０ａには、第一の発振トランジスタ２のベースが第一の結合コンデンサ６を介して結合されると共に、第二の発振トランジスタ３のコレクタが第二の結合コンデンサ７を介して結合される。第一及び第二の結合コンデンサ６、７は集積回路１０内に構成される。よって、第一の共振回路４を接続するための端子１０ａが一個で済むことになる。第一の共振回路４はインダクタンス素子４ａ、バラクタダイオード４ｂ等を有し、その一端が端子１０ａに接続され、他端は接地される。よって、第一の発振回路１は不平衡型の発振回路を構成する。バラクタダイオード４ｂのカソードに印加される同調電圧Ｔｕによって発振周波数が設定される。
【００１８】
第一の結合コンデンサ６は直列接続された複数のコンデンサ６ａ、６ｂからなり、第二の結合コンデンサ７も直列接続された複数のコンデンサ７ａ、７ｂからなる。よって、端子１０ａに人体が触れて静電気が印加された場合でも、直列接続された複数のコンデンサ６ａ、６ｂによって第一の発振トランジスタ２が保護され、同様に、直列接続された複数のコンデンサ７ａ、７ｂによって第二の発振トランジスタ３が保護される。
【００１９】
ＶＨＦテレビジョンチューナのハイバンド用の第二の発振回路１１は集積回路１０内に構成された第一及び第二の発振トランジスタ１２、１３と、集積回路１０外に設けられた第二の共振回路１４とによって構成される。
【００２０】
第一の発振トランジスタ１２と第二の発振トランジスタ１３との各エミッタは互いに接続されて定電流源１５に接続される。よって、第一及び第二の発振トランジスタ１２、１３は差動接続される。第二の発振トランジスタ１３のベースは高周波的に接地される。集積回路１０には端子１０ｂが設けられ、端子１０ｂには、第一の発振トランジスタ１２のベースが第一の結合コンデンサ１６を介して結合されると共に、第二の発振トランジスタ１３のコレクタが第二の結合コンデンサ１７を介して結合される。よって、第二の共振回路１４を接続するための端子１０ｂが一個で済む。第一及び第二の結合コンデンサ１６、１７は集積回路１０内に構成される。第二の共振回路１４はインダクタンス素子１４ａ、バラクタダイオード１４ｂ等を有し、その一端が端子１０ｂに接続され、他端は接地される。よって、第二の発振回路１１も不平衡型の発振回路を構成する。バラクタダイオード１４ｂのカソードに印加される同調電圧Ｔｕによって発振周波数が設定される。
【００２１】
第一の結合コンデンサ１６は直列接続された複数のコンデンサ１６ａ、１６ｂからなり、第二の結合コンデンサ１７も直列接続された複数のコンデンサ１７ａ、１７ｂからなる。よって、端子１０ｂに人体が触れて静電気が印加された場合でも、直列接続された複数のコンデンサ１６ａ、１６ｂによって第一の発振トランジスタ１２が保護され、同様に、直列接続された複数のコンデンサ１７ａ、１７ｂによって第二の発振トランジスタ１３が保護される。
【００２２】
ＵＨＦテレビジョンチューナ用の第三の発振回路２１は集積回路１０内に構成された第一及び第二の発振トランジスタ２２、２３と、集積回路１０外に設けられた第三の共振回路２４とによって構成される。
【００２３】
第一の発振トランジスタ２２と第二の発振トランジスタ２３との各エミッタは互いに接続されて定電流源２５に接続される。よって、第一及び第二の発振トランジスタ２２、２３は差動接続される。集積回路１０には第一の端子１０ｃと第二の端子１０ｄとが設けられる。第一の端子１０ｃには、第一の発振トランジスタ２２のベースが第一の結合コンデンサ２６を介して結合される路と共に第二の発振トランジスタ２３のコレクタが第二の結合コンデンサ２７を介して結合される。よって、第三の共振回路２４を接続するために二個の端子１０ｃ、１０ｄを設けるだけでよい。第一の結合コンデンサ２６は直列接続された複数のコンデンサ２６ａ、２６ｂからなり、第二の結合コンデンサ２７も直列接続された複数のコンデンサ２７ａ、２７ｂからなる。第一及び第二の結合コンデンサ２６、２７は集積回路１０内に構成される。
【００２４】
また、第二の端子１０ｄには、第二の発振トランジスタ２３のベースが第三の結合コンデンサ２８を介して結合されると共に第一の発振トランジスタ２２のコレクタが第四の結合コンデンサ２９を介して結合される。第三の結合コンデンサ２８は直列接続された複数のコンデンサ２８ａ、２８ｂからなり、第四の結合コンデンサ２９も直列接続された複数のコンデンサ２９ａ、２９ｂからなる。第三及び第四の結合コンデンサ２８、２９も集積回路１０内に構成される。よって、第三の発振回路２１は平衡型の発振回路を構成する。バラクタダイオード２４ｂのカソードに印加される同調電圧Ｔｕによって発振周波数が設定される。
【００２５】
以上の構成においても、第一の端子１０ｃ及び第二の端子１０ｄに人体による静電気が印加された場合、第一乃至第四の結合コンデンサ２６〜２９が第一の発振トランジスタ２２と第二の発振トランジスタの破戒を防止する。
【００２６】
なお、各結合コンデンサを構成する直列接続のコンデンサの数が多いほど発振トランジスタの静電破壊を防止する効果が有るが、コンデンサの数と集積回路１０の小型化とはトレードオフの関係となるので最低でも二個のコンデンサが有ればい。
【００２７】
【発明の効果】
以上説明したように、本発明では、集積回路には共振回路が接続される端子を設け、端子には集積回路内に構成された結合コンデンサを介して発振トランジスタを結合し、結合コンデンサを直列接続された複数のコンデンサから構成したので、端子に人体が触れて静電気が印加された場合でも、直列接続された複数のコンデンサによって発振トランジスタの静電破壊が防止される。
【００２８】
また、発振トランジスタは差動接続された第一及び第二のトランジスタからなり、結合コンデンサは第一及び第二の結合コンデンサからなり、端子には、第一の結合コンデンサを介して第一の発振トランジスタのベースを結合すると共に第二の結合コンデンサを介して第二の発振トランジスタのコレクタを結合し、共振回路の一端を端子に接続すると共に他端を接地したので、集積回路には一個の端子を設けて不平衡の発振回路を構成できる。よって、端子の数が半減する。
【００２９】
また、第一の端子には、第一の結合コンデンサを介して第一の発振トランジスタのベースを結合すると共に第二の結合コンデンサを介して第二の発振トランジスタのコレクタを接続し、第二の端子には、第三の結合コンデンサを介して第二の発振トランジスタのベースを結合すると共に第四の結合コンデンサを介して第一の発振トランジスタのコレクタを結合し、共振回路の一端を第一の端子に接続すると共に、を第二の端子に接続したので、集積回路には二個の端子を設けることで平衡型の発振回路を構成できる。よって端子の数が半減する。
【図面の簡単な説明】
【図１】本発明のテレビジョンチューナの発振回路の構成を示す回路図である。
【図２】従来のテレビジョンチューナの発振回路の構成を示す回路図である。
【符号の説明】
１  第一の発振回路
２、１２、２２  第一の発振トランジスタ
３、１３、２３  第二の発振トランジスタ
４  第一の共振回路
５、１５、２５  定電流源
６、１６、２６  第一の結合コンデンサ
７、１７、２７  第二の結合コンデンサ
１０  集積回路
１１  第二の発振回路
１４  第二の共振回路
２１  第三の発振回路
２４  第三の共振回路
２８  第三の結合コンデンサ
２９  第四の結合コンデンサ
【図１】
2004172935.tif 000003
【図２】
2004172935.tif 000004